(57)【要約】【課題】既存のベビーキャリアに簡単に適用して幼児の頭部を保持することができ、しかも、日除け用、防寒用としての機能をも兼ね備えているベビーキャリア用フードを提供する。【解決手段】幼児Ｃの頭部ｃを覆うように保持するフード部１と、このフード部１から延設されて、幼児Ｃの背中とベビーキャリアＢのキャリア部ｂ１との間に挟み込み介在されるフード押え舌片部２とからフード本体Ａを構成している。また、フード部１の両側にはベビーキャリアＢの肩掛けベルトｂ２に係脱自在に連結支持させるフード支持部材４を備えている。【選択図】図１
0003155082.tif 000002
【実用新案登録請求の範囲】
【請求項１】
幼児の尻から背中にかけて保持するキャリア部と、
このキャリア部の上端に一端側が取り付けられる肩掛けベルトと、を備えているベビーキャリア用のフードであって、
フード本体は、幼児の頭部を保持するフード部と、
このフード部から延設されて、幼児に背中と前記キャリア部との間に挟み込み介在されるフード押え舌片部と、を備えていることを特徴とするベビーキャリア用フード。
【請求項２】
前記フード部の両側に取り付けられて、該フード部を前記肩掛けベルトまたは使用者の衣服に係脱自在に連結支持させるフード支持部材を備えていることを特徴とする請求項１に記載のベビーキャリア用フード。
【請求項３】
前記フード押え舌片部は、幅広帯状に形成され、かつ、使用者が手を入れて幼児の背中と前記キャリア部との間に差し込むためのポケットを備えていることを特徴とする請求項１に記載のベビーキャリア用フード。
【考案の詳細な説明】
【技術分野】
【０００１】
本考案は、幼児の尻から背中にかけて包み込むように保持するキャリア部を有するベビーキャリア（子守帯）に適用されるフードに係り、特に、幼児の頭部を保持（安定）させるヘッドサポートを備えていない既存のベビーキャリアに適用されるフードに関する。
【背景技術】
【０００２】
幼児の尻から背中にかけて包み込むように保持するキャリア部を有するベビーキャリアは、外出時などにおいて、幼児を抱っこやおんぶの状態で保持し得るように形成されている。そして、ベビーキャリアには、幼児の頭部を保持するヘッドサポート（フード）をキャリア部の上部に備えているタイプ（例えば、特許文献１および２参照）と、ヘッドサポートを備えていないタイプ（例えば、特許文献３参照）とが一般的に知られている。
【０００３】
ヘッドサポートを備えているベビーキャリアは、首が座らず身体がしっかりしていない幼児を対象として主に使用され、ヘッドサポートを備えていないベビーキャリアは、首が座り身体が成長した幼児を対象として主に使用される。
【０００４】
ところで、首が座った幼児がヘッドサポートを必要とするのは眠ったときであり、起きているとき（覚醒時）には必要としない。つまり、活発で好奇心の旺盛な幼児が起きているときにヘッドサポートを使用すると、幼児の動きを妨げるばかりか、視界（視線）を遮ることとなり、また、圧迫されるなど幼児にとっては大変不快なものとなり、嫌がる。
【０００５】
そこで、特許文献１および特許文献２に記載されているように、ヘッドサポート（フード）をキャリア部の上部に着脱自在に装着できる構成のベビーキャリアが提案されている。
【先行技術文献】
【特許文献】
【０００６】
【特許文献１】実開平７−３３５１号公報
【特許文献２】特開平１１−２７６３１１号公報
【特許文献３】特開２００５−５８７２６号公報
【考案の概要】
【考案が解決しようとする課題】
【０００７】
ところで、特許文献１および２に記載の従来技術では、ヘッドサポートをキャリア部の上部に着脱自在に装着する構成を採用していることで、幼児が眠ってしまいヘッドサポートを必要とするときには装着し、幼児が起きて必要としなくなったときには取り外すことができる利点がある。
【０００８】
しかしながら、ヘッドサポートの着脱自在は、キャリア部側とヘッドサポート側の双方に、互いに係脱関係にて係着させるための突起部と止め輪、そしてベルベットファスナ（面ファスナ）、ホックなどの特定構造を設けることが必須である。つまり、特許文献３に記載の従来技術のように、ヘッドサポートを備えていない既存のベビーキャリアに対しては適用させることができない。
【０００９】
また、特許文献１および２に記載の従来技術は、眠った幼児の頭部が後方や側方へ倒れ込まないように後頭部と側頭部を支えることができるものの、夏場の強い日差しから幼児を保護することや、冬場の冷たい外気から幼児を保護することができない。
そのために、夏場の強い日差しや冬場の冷たい外気から幼児を保護するための防護具を別途に準備する必要があった。例えば、夏場の外出先などで日差しが強くなったときなどには、使用者は手持ちのハンカチやタオルなどを用いて幼児の頭部や顔を強い日差しから保護するなどの対策を必要としていた。
【００１０】
そこで、本考案は、前記課題を解消するために創案されたものであり、ヘッドサポートを備えていない既存のベビーキャリアに、装着用の特別な構造を必要とせずに簡単に適用させることができ、しかも、日除け用、防寒用としての機能をも兼ね備えているベビーキャリア用フードを提供することにある。
【課題を解決するための手段】
【００１１】
前記課題を解決するために、本考案では、幼児の尻から背中にかけて包み込むように保持するキャリア部と、このキャリア部の上端に一端側が取り付けられる左右の肩掛けベルトと、を備えているベビーキャリア用のフードであって、
フード本体は、幼児の頭部を覆うように保持するフード部と、このフード部から延設されて、幼児の背中と前記キャリア部との間に挟み込み介在されるフード押え舌片部とを備えて構成されていることを特徴とする。
【００１２】
ここで、前記フード部の両側に取り付けられて、該フード部を前記肩掛けベルトまたは使用者の衣服に係脱自在に連結支持させるフード支持部材を備えている構成を採用することが好適なものとなる。
また、前記フード押え舌片部は、所定の長さと幅を有する略帯状に形成され、かつ、幼児の背中と前記キャリア部との間に差し込み内在させるときに使用者が手を入れたり、不使用時において前記フード部を折畳み収納するための収納袋として利用されるポケットを備えている構成を採用することが好適なものとなる。
【００１３】
このような構成によれば、フード部を幼児の頭部に被せ、フード押え舌片部を幼児の背中とベビーキャリアのキャリア部との間に差し込み介在させることで、幼児が眠ったときに頭部を支え保護、そして、夏場の強い日差しや冬場の冷たい外気から幼児の頭部を保護するように適用させることができる。
このとき、フード押え舌片部に備えられているポケットに手を入れて、フード押え舌片部を幼児の背中とベビーキャリアのキャリア部との間に差し込み介在させることができる。つまり、フード押え舌片部が片寄ったり、皺になったりすることなく、幼児の背中とベビーキャリアのキャリア部との間に簡単に、そして必要とする差し込み介在位置までスムーズに、かつ、確実に差し込んで介在させることができる。
これにより、フード押え舌片部は幼児の背中とキャリア部との間に挟まれてフード部を押え、また、フード押え舌片部の介在によって幼児に違和感などを与えることがない。
【００１４】
そして、フード部を幼児の頭部に被せ、フード部の両側に備えられているフード支持部材をベビーキャリアの肩掛けベルトまたは使用者の衣服などに係着させて、フード部を肩掛けベルトまたは使用者の衣服など連結支持させることで、眠った幼児の頭部が後方や側方に倒れ込まないように支えるなどの幼児の頭部を保護することができる。
【００１５】
また、フード部は、幼児の頭部と顔を覆うことから、夏場の強い日差しから幼児を保護する日除け用として、また、冬場の冷たい外気から幼児を保護する防寒用として機能を果たす。
【００１６】
また、不使用時には、フード押え舌片部に備えられているポケットに、フード押え舌片部の一部とともにフード部を折畳み収納することができる。
【考案の効果】
【００１７】
本考案のベビーキャリア用フードによれば、既存のベビーキャリアに、装着用の特別な構造を必要とせずに簡単に適用させて、幼児が眠ったときに頭部を支えるなど、幼児の頭部を保護することができる。
また、フード部は、幼児の頭部全体と顔を覆うことで、夏場の日除け用、冬場の防寒用としても使用することができる。
【００１８】
また、不使用時には、フード押え舌片部に備えられているポケットに、フード押え舌片部の一部とともにフード部を折畳み収納することで、フード本体をコンパクトな携帯状態とすることができる。つまり、使用者は、幼児を保持して外出するときなどに、フードをコンパクトな状態でバックや衣服のポケットなどに入れて携帯することができる。
【図面の簡単な説明】
【００１９】
【図１】本実施形態に係るフードを適用させた使用の一例を示し、（ａ）は、側面図であり、（ｂ）は、使用者の前側から見たときの正面図である。
【図２】フード本体を斜め側方から見たときの斜視図である。
【図３】同フード本体の縦断側面図である。
【図４】同フード本体のフード押え舌片部を、幼児の背中とキャリア部との間に挟み込み介在させるときの状態を示す要部の斜視図である。
【図５】フードの不使用時に、フード押え舌片部の一部とともにフード部をポケットに折畳み収納させたコンパクトな携帯状態を示す斜視図である。
【考案を実施するための形態】
【００２０】
以下、本考案の実施形態について、適宜図面を参照しながら詳細に説明する。
図１は、本実施形態に係るベビーキャリア用フードを適用させた使用状態の一例を示す側面図および正面図である。
本実施形態に係るフードは、背景技術の欄で挙げた特許文献３などに記載されているように、幼児の頭部を支えるためのヘッドサポート（フード）を備えていない既存のベビーキャリアに、装着用の特別な構造を必要とせずに適用されて、図１に示すように、幼児Ｃの頭部ｃを支えて後方や側方への倒れ込みを防ぐように保持するものである。
【００２１】
ちなみに、本実施形態に係るフードが適用されるベビーキャリアＢは、図１に示すように、幼児Ｃの尻から背中にかけて包み込むように保持するキャリア部ｂ１と、このキャリア部ｂ１の上端両側に一端側が縫着によってそれぞれ取り付けられるとともに、他端側がキャリア部ｂ１の下端両側に雄雌一対のバックル５によってそれぞれ係脱自在に連結される左右の肩掛けベルトｂ２とを備えている周知の構造を呈している。
また、図示を省略しているが、ベビーキャリアＢは、幼児ｂの上半身に巻き付けるように装着される補助ベルトを備えている。
【００２２】
≪フード本体の構成≫
図２は、フード本体を示す斜視図であり、図３は、同縦断側面図である。ここでは、図１を適宜参照しながら説明する。
フード本体Ａは、図１に示すように、ベビーキャリアＢによって幼児Ｃを抱っこの状態で保持しての外出先などにおいて、幼児Ｃが眠った（寝入った）ときに頭部ｃを支えて後方や側方へ倒れ込まないように保護する。また、夏場の強い日差しや冬場の冷たい外気から頭部ｃと顔を覆うように保護するために使用される。
【００２３】
このフード本体Ａは、ＵＶ加工処理が施されているなどの適宜の素材を用いて形成されるものであり、図１および図２、図３に示すように、幼児Ｃの頭部ｃを覆い保持するフード部１と、このフード部１の下端辺部から延設されて、幼児Ｃの背中とベビーキャリアＢのキャリア部ｂ１との間に挟み込み介在されるフード押え片部２とを備えている。
このように、フード本体ＡにＵＶ加工処理が施されている素材を用いることで、特に、夏場における強い紫外線をカットするなど有効なものとなる。
【００２４】
また、フード本体Ａは、素材を変えることにより日除け用に、また、防寒用とすることができる。例えば、ＵＶ加工処理に加えて、夏場の強い日差しの透過などを遮り、通気性を有する素材などを用いて形成されることで、日除け用として使用することができる。また、冬場の冷たい外気の通過などを遮り、高い保温性を有する素材などを用いて形成することで、防寒用として使用することがきる。
【００２５】
≪フード部の構成≫
フード部１は、図１、図２および図３に示すように、幼児Ｃの頭部ｃ全体を覆い、そして顔の回りを覆う程度の大きさを有する所謂頭巾状に形成されている。
【００２６】
≪フード押え舌片部の構成≫
フード押え舌片部２は、ベビーキャリアＢのキャリア部ｂ１と幼児Ｃの背中との間に挟み込むように差し込み介在されることで、後記するフード支持部材４との協働でフード部１の装着状態を安定させるとともに、幼児Ｃの頭部ｃが後方、側方に倒れ込まないように保持するものである。
【００２７】
このフード押え舌片部２は、フード部１の下端辺部（フード部１が幼児Ｃの頭部ｃに被された状態で幼児Ｃの首部位に位置する部位）から所定の長さと幅にて延設される略帯状に形成されている。そして、このフード押え舌片部２の下半部側には内外いずれ側、図示例では内側にポケット３を備えている。
【００２８】
≪ポケットの構成≫
ポケット３は、幼児の背中全体（略全高）に沿わせてキャリア部ｂ１との間に介在されるフード押え舌片部２の幅にてその下端縁から該フード押え舌片部２の略中途部位に至る程度の深さになるように形成されている。
これにより、幼児Ｃが眠ったときなどに、後記の図に示すように、使用者Ｄはポケット３に手を入れて、フード装着押え部４を幼児Ｃの背中とキャリア部ｂ１との間に差し込み介在させることができるようにしている。また、フードを使用しないときには、フード部１をフード押え舌片部２の一部とともに折畳み収納させることで、フード本体Ａをコンパクトな状態で携帯することができるようにしている。
【００２９】
そして、このように構成されているフード本体Ａのフード部１の両側には、図２に示すように、フード支持部材４が備えられている。
【００３０】
≪フード支持部材の構成≫
フード支持部材４は、幼児の頭部に被せられたフード部をベビーキャリアＢの肩掛けベルトｂ２または使用者Ｄの衣服などにフード部１を係脱自在に連結支持させるためのものである。
このフード支持部材４は、フード部１の両側に縫着などよって一端側が取り付けられるバンド４ａと、このバンド部４ａの他端側に取り付けられる鰐口状のクリップ４ｂとからなり、バネの弾発力によって開閉可能に形成されているクリップ４ｂの対を成す開閉鰐で、図１に示すように、肩掛けベルトｂ２を咬むように係着させることで、幼児Ｃの頭部ｃ全体、そして顔を覆うように被せられるフード部１を肩掛けベルトｂ２に連結支持させるようにしている。
これにより、幼児Ｃが眠ったときなどに、頭部ｃ全体をフード部１で覆った状態で保護するようになっている。
【００３１】
なお、バンド部４ｂを、伸縮性を有するゴムバンドを用いて形成することで、幼児Ｃの頭部ｃを剛の状態ではなく、若干柔軟性を持たせた状態で保持させることができる。
【００３２】
つぎに、以上のように構成されている本実施形態に係るフードの使い方について簡単に説明する。
図４は、フード本体のフード押え舌片部を、幼児の背中とキャリア部との間に挟み込み介在させるときの状態を示す要部の斜視図であり、図５は、フードの不使用時に、フード押え舌片部の一部とともにフード部をポケットに折畳み収納させたコンパクトな携帯状態を示す斜視図である。ここでは、図１を適宜参照しながら説明する。
【００３３】
例えば、幼児Ｃを抱っこの状態で保持して外出するときに、フードを必要としないときには、図５に示すように、コンパクトな状態でバックや衣服のポケットなどに入れて携帯する。
そして、幼児Ｃが眠ってフードを必要とするときには、フード部１とフード押え舌片部２の一部をポケット３が取り出してフード本体Ａを拡げ、フード部１を幼児Ｃの頭部ｃに被せ、図４に示すように、フード押え舌片部２に備えられているポケット３に手を入れて、フード押さえ舌片部２を幼児Ｃの背中とキャリア部ｂ１との間に差し込み介在させる。
つぎに、フード部１に備えられているフード支持部材４のクリップ４ｂを開いて（図２参照）、図１に示すように、肩掛けベルトｂ２を咬むようにクリップ４ｂを閉じて該肩掛けベルトｂ２に係着させる。
これにより、眠った幼児Ｃの頭部ｃを支えて後方や側方に倒れ込まないように保持することができる。
【００３４】
なお、本考案の実施形態の具体的な構成は、前記した実施形態に限られるものではなく、請求項１から３に記載の本考案の要旨を逸脱しない範囲で設計変更などがあっても本考案に含まるものである。
例えば、フード支持部材４を構成するクリップ４ｂに変えて、他の部材を用いてフード部１を肩掛けベルトｂ２や使用者Ｄの衣服などに着脱自在に係着させることができる。
【００３５】
また、フード本体Ａのフード押え舌片部２の長さを、幼児Ｃの背中から腰に至るように形成することができる。また、フード押え舌片部２の幅を、背中と略同幅にて形成することができる。
【００３６】
また、ポケット３の開口部に、必要に応じてファスナ、ベルベットファスナなどの開閉手段を備えることができる。これにより、折畳み収納させたフード部１が携帯時などにおいて不用意に飛び出すことなどを防ぐことができる。
【００３７】
また、本実施形態に係るフードは、タスキ掛けタイプのベビーキャリアに適用させることができる。
【符号の説明】
【００３８】
Ａ      フード本体
１      フード部
２      フード押え舌片部
３      ポケット
４      フード支持部材
Ｂ      ベビーキャリア
ｂ１    キャリア部
ｂ２    肩掛けベルト
【図１】
0003155082.tif 000003
【図２】
0003155082.tif 000004
【図３】
0003155082.tif 000005
【図４】
0003155082.tif 000006
【図５】
0003155082.tif 000007